(57)【要約】【課題】録画予約情報を録画機器に送信することで録画機器に対して録画予約を設定できる端末装置において、端末装置で生成された録画予約情報を確実に録画機器に送信できるようにすることにより、録画予約情報を受信した録画機器で確実に録画予約を実行可能とする。【解決手段】端末装置は、録画予約情報を生成する録画予約情報生成部（２３）と、録画予約情報を記憶する録画予約情報記憶部（３２）を備え、録画予約情報記憶部（３２）に記憶された録画予約情報を所定の録画機器に送信して所定の録画機器に録画予約を行う。そして端末装置は、所定の録画機器と通信可能に接続されたことを判定する録画機器接続判定部（２１）と、所定の録画機器と通信可能に接続されたときに、録画予約情報記憶部（３２）に録画予約情報が記憶されている場合、録画予約情報が記憶されていることを示す所定の通知処理を行う録画予約情報通知部（２２）と、を備える。【選択図】図３
2014160997.tif 000002
【特許請求の範囲】
【請求項１】
所定の録画機器に録画予約を設定するための録画予約情報を生成する録画予約情報生成部と、該録画予約情報を記憶する録画予約情報記憶部と、前記所定の録画機器と通信を行う通信部とを備え、前記録画予約情報記憶部に記憶された前記録画予約情報を前記通信部から前記所定の録画機器に送信して前記所定の録画機器に録画予約を行う端末装置であって、
前記所定の録画機器と通信可能に接続されたことを判定する録画機器接続判定部と、
該録画機器接続判定部により前記所定の録画機器と通信可能に接続されたことが判定されたときに、前記録画予約情報記憶部に前記録画予約情報が記憶されている場合、該録画予約情報が記憶されていることを示す所定の通知処理を行う録画予約情報通知部と、を備えることを特徴とする端末装置。
【請求項２】
請求項１に記載の端末装置において、
外部機器から放送番組の番組表情報を取得する番組表取得部と、
該番組表取得部が取得した番組表情報を記憶する番組表記憶部と、
該番組表記憶部に記憶した番組表情報を表示する表示部と、
ユーザの操作入力を受け付ける入力部と、を備え、
前記録画予約情報生成部は、前記表示部に表示させた番組表情報に対する操作入力に従って、特定の番組の録画予約を設定するための録画予約情報を生成することを特徴とする端末装置。
【請求項３】
請求項１または２に記載の端末装置において、
予約録画を設定する対象となる前記所定の録画機器を識別する情報を記憶する録画機器情報記憶部を有し、
前記録画機器接続判定部は、前記通信可能に接続された所定の録画機器を判定する際に、通信が可能な相手先機器から該相手先機器を識別する情報を取得し、該取得した相手先機器を識別する情報と、前記録画機器情報記憶部に記憶した情報とが一致した場合、前記相手先機器が前記所定の録画機器であることを判定することを特徴とする端末装置。
【請求項４】
請求項１〜３のいずれか１に記載の端末装置において、
前記所定の通知処理は、前記録画予約情報が記憶されていることを示す所定の通知情報を所定の表示部に表示させる処理、前記端末装置を振動させる処理、および前記録画予約情報が記憶されていることを示す音声情報を所定のスピーカから音声出力させる処理のいずれかまたは複数の処理であることを特徴とする端末装置。
【発明の詳細な説明】
【技術分野】
【０００１】
本発明は、端末装置に関し、より詳細には、録画機器に対して録画予約を行うことができるようにした端末装置に関する。
【背景技術】
【０００２】
例えばテレビ放送波などの放送コンテンツを録画する録画機器では、通常、予め録画番組を予約する録画予約機能が設けられている。録画機器に対する録画予約を行う手段として、例えばスマートフォンや携帯電話、タブレット端末などの通信可能な端末装置を使用するシステムが知られている。ここでは、端末装置をユーザが操作することで、録画機器で録画予約を行うための録画予約情報を生成して保持しておく。そして端末装置を特定の録画機器と通信可能な環境に配置して、端末装置の録画予約情報を録画機器に送信することで、端末装置に対するユーザ操作に応じた録画予約を録画機器に設定することができる。
【０００３】
このような端末装置を用いて録画予約機能を実行する技術に関して、例えば、特許文献１には、番組情報サービスプロバイダから予め端末装置に番組情報を取得しておき、端末装置をユーザが操作して所望の番組を検索して録画予約を行い、その録画予約情報を録画機器に送信して録画予約設定を行うものが記載されている。
また、特許文献２に記載された技術は、番組情報サービスプロバイダから端末装置に番組情報を取得し、ユーザによって録画予約を行う番組情報が選択されると、端末装置は、録画予約を行うための予約情報を情報処理装置に送信する。そして情報処理装置では、端末装置から送信されてきた予約情報に基づいて番組の録画予約制御を行う。
【先行技術文献】
【特許文献】
【０００４】
【特許文献１】特許第４５８１２６９号公報
【特許文献２】特許第４９３０８１２号公報
【発明の概要】
【発明が解決しようとする課題】
【０００５】
上記のように、端末装置を使用して録画予約を行い、その録画予約情報をレコーダなどの録画機器等に送信することで、録画予約情報を受信した録画機器等で録画予約を実行する技術が知られている。この場合、ユーザは、録画機器がない場所で任意に録画予約を行うことができ、これを録画機器と通信可能な環境に適宜配置することで、端末装置に保持させた録画予約情報を録画機器に送信し、録画機器に録画予約を設定することができる。
【０００６】
この場合、録画機器がない任意の場所でユーザが端末装置に録画予約を行った後、その端末装置で生成された録画予約情報は、録画機器と通信可能な環境において適切に録画機器に送信されなければならない。
しかしながら、ユーザが端末装置に録画予約情報を保持させた後、録画機器に送信させる処理を失念してしまうと、目的とする番組録画予約を録画機器に設定することができないという問題が生じる。この場合、端末装置では、予め任意の場所で任意の時間に番組予約操作を行うことができるため、番組予約情報の生成から録画機器への送信まで時間がかかったり、あるいは番組予約の数や予約操作の回数が多かったりすると、端末装置で生成した録画予約情報の全てを確実に録画機器に送信する処理を失念し、あるいは怠ってしまうこともあり得る。
【０００７】
特許文献１、２に記載されたものについても、番組情報サービスプロバイダから取得した番組情報を用いて端末装置で番組予約情報を生成した後、ユーザの操作により、その端末装置で保持されている番組予約情報を録画端末装置や情報処理装置に送信させる必要があり、上記と同様の問題が生じる。
【０００８】
本発明は、上述のごとき実情に鑑みてなされたもので、録画予約情報を録画機器に送信することで録画機器に対して録画予約を設定できる端末装置において、端末装置で録画予約情報が生成されていることをユーザが確実に認識できるようにすることで、端末装置で生成された録画予約情報を確実に録画機器に送信することができ、これにより、録画予約情報を受信した録画機器で確実に録画予約を実行できるようにした端末装置を提供することを目的とする。
【課題を解決するための手段】
【０００９】
上記課題を解決するために、本発明の第１の技術手段は、所定の録画機器に録画予約を設定するための録画予約情報を生成する録画予約情報生成部と、該録画予約情報を記憶する録画予約情報記憶部と、前記所定の録画機器と通信を行う通信部とを備え、前記録画予約情報記憶部に記憶された前記録画予約情報を前記通信部から前記所定の録画機器に送信して前記所定の録画機器に録画予約を行う端末装置であって、前記所定の録画機器と通信可能に接続されたことを判定する録画機器接続判定部と、該録画機器接続判定部により前記所定の録画機器と通信可能に接続されたことが判定されたときに、前記録画予約情報記憶部に前記録画予約情報が記憶されている場合、該録画予約情報が記憶されていることを示す所定の通知処理を行う録画予約情報通知部と、を備えることを特徴としたものである。
【００１０】
第２の技術手段は、第１の技術手段において、外部機器から放送番組の番組表情報を取得する番組表取得部と、該番組表取得部が取得した番組表情報を記憶する番組表記憶部と、
該番組表記憶部に記憶した番組表情報を表示する表示部と、ユーザの操作入力を受け付ける入力部と、を備え、前記録画予約情報生成部は、前記表示部に表示させた番組表情報に対する操作入力に従って、特定の番組の録画予約を設定するための録画予約情報を生成することを特徴としたものである。
【００１１】
第３の技術手段は、第１または２の技術手段において、予約録画を設定する対象となる前記所定の録画機器を識別する情報を記憶する録画機器情報記憶部を有し、前記録画機器接続判定部は、前記通信可能に接続された所定の録画機器を判定する際に、通信が可能な相手先機器から該相手先機器を識別する情報を取得し、該取得した相手先機器を識別する情報と、前記録画機器情報記憶部に記憶した情報とが一致した場合、前記相手先機器が前記所定の録画機器であることを判定することを特徴としたものである。
【００１２】
第４の技術手段は、第１〜３のいずれか１の技術手段において、前記所定の通知処理は、前記録画予約情報が記憶されていることを示す所定の通知情報を所定の表示部に表示させる処理、前記端末装置を振動させる処理、および前記録画予約情報が記憶されていることを示す音声情報を所定のスピーカから音声出力させる処理のいずれかまたは複数の処理であることを特徴としたものである。
【発明の効果】
【００１３】
本発明によれば、録画予約情報を録画機器に送信することで録画機器に対して録画予約を設定できる端末装置において、端末装置で録画予約情報が生成されていることをユーザが確実に認識できるようにすることで、端末装置で生成された録画予約情報を確実に録画機器に送信することができ、これにより、録画予約情報を受信した録画機器で確実に録画予約を実行できるようにした端末装置を提供することができる。
【図面の簡単な説明】
【００１４】
【図１】本発明に係る端末装置による録画予約の通知動作例を説明するための図である。
【図２】本発明に係る端末装置の要部構成例を説明するためのブロック図である。
【図３】本発明に係る端末装置により実現される機能を説明するための機能ブロック図である。
【図４】本発明の端末装置による録画予約処理の一例を説明するためのフローチャートである。
【図５】本発明の端末装置による録画予約情報通知処理の一例を説明するためのフローチャートである。
【図６】本発明の端末装置による録画機器接続通知処理の一例を説明するためのフローチャートである。
【発明を実施するための形態】
【００１５】
図１は、本発明に係る端末装置による録画予約の通知動作例を説明するための図である。端末装置１００は、予め定めた録画機器２００に対する録画予約を実行することができる。端末装置１００は、スマートフォン、携帯電話、タブレット端末などの携帯型の端末装置とすることができるが、これらに限定されない。ここで図１（Ａ）に示すように、端末装置１００を単独で使用し、ユーザ操作によって録画予約を行う。この場合、例えば端末装置１００のタッチパネル１１０に対して所定の操作を行って、所定の外部機器から放送番組を録画予約するために使用する番組表を取得する。ここでの操作入力は、タッチパネル操作用のペン１０１を用いて行うこともできる。
【００１６】
録画予約を行うための番組表は、例えば番組情報を提供するサービスプロバイダのサーバ等の外部機器から取得することができる。また、番組表を取得した録画機器等の他の外部機器から番組表を取得するものであってもよい。端末装置１００では、自身の通信手段を利用して番組表を提供する外部機器に接続し、当該外部機器から番組表を取得して保持しておく。番組表の取得処理は、ユーザ操作に従って実行するものでもよく、あるいは端末装置１００が自動取得するものであってもよい。
【００１７】
そして、ユーザは番組表が保持された端末装置１００を操作して番組表を表示させ、その番組表から任意の番組を選択することで、所定の録画機器２００に設定するための録画予約情報を生成させることができる。この録画予約情報の生成は、端末装置１００に備えられている録画予約機能により実現される。生成された録画予約情報は、端末装置１００に保持される。
この録画予約情報の生成処理は、端末装置１００が録画機器２００と通信できない環境においても行うことができる。つまり、端末装置１００に番組情報が取得されていれば、ユーザは任意の場所やタイミングで番組の録画予約を行うための操作入力を行うことができる。
【００１８】
そして図１（Ｂ）に示すように、ユーザは、端末装置１００を録画機器２００と通信可能な環境に配置する。例えば、ユーザの外出先で端末装置１００に録画予約操作を行った後、録画機器２００が備えられた自宅に帰宅することで、端末装置１００と録画機器２００とを近距離無線通信により通信可能な環境とすることができる。
端末装置１００と録画機器２００との通信の可否を判断する場合、端末装置１００では、録画予約の対象とする特定の録画機器２００を識別できる録画機器情報を予め保持しておく。また、録画機器２００では端末装置１００からの探索を受け付ける状態にしておく。そして端末装置１００は、探索用の電波を発信して通信相手を探索し、予め保持された録画機器情報に一致する特定の録画機器２００が探索されたときに、自動的に通信リンクを確立し、相互のデータ通信が可能な環境であると判断する。このときの接続手順は近距離無線通信の規格に準じることができる。
【００１９】
そして録画機器２００との通信が可能な環境になると、端末装置１００では、録画機器２００に対して送信すべき録画予約情報が保持されていれば、その録画予約情報が保持されていることをユーザに通知し、ユーザに対して、録画予約情報を録画機器２００に送信することを促す。
【００２０】
このときのユーザへの通知としては、例えばタッチパネル１１０の表示画面に所定のメッセージを表示させることができる。一例として、“録画予約する番組があります”との表示を行うことで、ユーザに対して端末装置１００に保持されている録画予約情報があることを通知する。これを見たユーザは、端末装置１００に所定の操作を行うことで、録画機器２００に対して録画予約情報を送信することができる。録画機器２００では送信された録画予約情報に従って、録画予約を実行する。上記のような録画予約情報が保持されている旨のユーザへの通知は、表示画面への表示だけでなく、音声出力や振動などの手段を使用して行うようにしてもよい。
【００２１】
このようなユーザへの通知機能を備えることにより、本発明による端末装置の実施形態によれば、ユーザは、端末装置１００で生成された録画予約情報を確実に録画機器２００に送信することが可能となる。
【００２２】
図２は、本発明に係る端末装置の要部構成例を説明するためのブロック図である。制御部１は、ＣＰＵ（Central Processing Unit）により構成され、端末装置１００の各要素を制御する。制御部１は、記憶部（ＲＯＭ（Read Only Memory））２に記憶されている各種の制御プログラムを読み出して実行することで、端末装置１００の各種動作を実行する制御を行う。制御プログラムの実行には適宜記憶部（ＲＡＭ（Random Access Memory））３に記憶したデータを使用する。
【００２３】
記憶部（ＲＡＭ）３には、制御プログラムの実行に使用されるデータが記憶保持される。録画機器情報記憶部３１は、録画予約を設定する対象となる録画機器情報を記憶する。録画機器情報は、対象となる録画機器を識別する情報である。
録画予約情報記憶部３２は、予め取得した番組表に基づいて、ユーザ操作により選択された番組を録画予約するための録画予約情報を記憶する。また、番組表記憶部３３は、外部機器から取得した番組表の情報を記憶する。
【００２４】
記憶部（ＲＯＭ）２は、各種制御プログラムを記憶保持する不揮発性記憶手段である。録画機器接続判定部２１は、端末装置１００と、端末装置１００が連携する所定の録画機器との間で通信可能に接続されたことを判定し、当該録画機器との接続状態を示す情報を表示装置６に表示させる制御プログラムを保持する。所定の録画機器は、端末装置１００で生成した録画予約情報により録画予約を行うために予め定められた機器である。
【００２５】
ここでは録画機器接続判定部２１は、ペアリングすべき通信相手を探索する電波を発信させて通信相手となる録画機器を探索する。この場合、録画予約の対象とする所定の録画機器を識別する録画機器情報を録画機器情報記憶部３１に記録しておき、録画機器の探索時に検索された相手機器からポーリングなどにより機器情報を取得して、記憶部３に記録した録画機器情報と比較することで、探索された機器が所定の録画機器であるかを判別する。そして所定の録画機器であることを判別したときに通信リンクを確立し、所定の録画機器との間で相互のデータ通信が可能な接続状態にあるものと判断する。このとき、録画機器接続判定部２１は、所定の録画機器と接続された状態にあることを録画予約情報通知部２２に通知する。
【００２６】
通信相手機器の探索は、入力装置４，５に対して所定の操作が行われたときに行うものであってもよく、あるいは録画機器接続判定部２１により自動的に継続して、あるいは断続的に行うものであってもよい。端末装置１００と録画機器２００との通信手段としては、有線通信、無線通信のいずれでもよいが、無線ＬＡＮ Ｉ／Ｆ９，Bluetooth Ｉ／Ｆ１１、ＮＦＣ Ｉ／Ｆ１２などの通信インタフェースを用いて通信することができる。
【００２７】
録画予約情報通知部２２は、録画機器接続判定部２１により端末装置１００が所定の録画機器と通信可能に接続している旨が通知されたとき、録画予約情報記憶部３２に録画予約情報が記録されていれば、その旨を通知する制御プログラムを保持する。
【００２８】
録画予約情報が保持されている旨の通知としては、所定の通知画像を表示装置６に表示させることができる。あるいは、振動装置７を振動させたり、スピーカ８から所定の音声通知を出力させることで行うようにしてもよい。また所定の発光部を発光させるなどの手段を適用してもよい。
これらの通知により、ユーザに対して、番組の録画予約を行うための録画予約情報が端末装置１００に保持されていることを認知させることができる。ユーザは、この通知に従って入力装置４，５を操作し、録画予約情報記憶部３２に保持されている録画予約情報を録画機器に送信することで、録画機器に対する録画予約を実行することができる。
【００２９】
録画予約情報生成部２３は、番組を録画予約するための録画予約情報を生成し、録画予約情報記憶部３２に記憶する制御プログラムを保持する。ここで録画予約情報生成部２３は、番組表記憶部３３に保持している番組表を表示装置６に表示させ、入力装置４，５を介したユーザ操作に従って、録画予約する番組を選択する。そして選択した番組を録画予約するための録画予約情報を生成し、録画予約情報記憶部３２に記憶させる。
【００３０】
番組表取得部２４は、外部機器から放送番組の番組表の情報を取得し、番組表記憶部３３に記憶させる。番組表は、例えば番組情報サービスプロバイダ等から提供され、端末装置１００は、公衆網 Ｉ／Ｆ１２等の通信手段を介して番組情報サービスプロバイダのサーバに接続して番組表を取得することができる。あるいは録画機器等の外部機器が取得した番組表を、無線ＬＡＮ Ｉ／Ｆ９、Bluetooth Ｉ／Ｆ１１、ＮＦＣ Ｉ／Ｆ１１等の通信手段を使用して端末装置１００に転送したものであってもよい。
【００３１】
ネットワーク制御部２５は、ＬＡＮ（Local Area Network）やＷＡＮ（Wide Area Network）などによるネットワーク、あるいはインターネットなどのネットワークに接続して通信制御を行い、外部機器との間で通信を可能とする制御プログラムを保持する。
出力制御部２６は、端末装置１００からの各種情報の出力を制御する制御プログラムを保持する。出力制御には、ネットワーク制御部２５による外部機器への情報出力に加え、表示装置６、振動装置７、スピーカ８等からの各種の情報出力が含まれる。また、入力制御部２７は、端末装置１００に対する各種情報の入力を制御する制御プログラムを保持する。
【００３２】
入力装置４，５は、ユーザ操作による操作入力を受け付けて制御部１に伝えるものであり、本発明の入力部に相当する。入力装置（キー）４は、各種キーやボタンにより操作入力を受け付けるデバイスであり、入力装置（タッチデバイス）は、ユーザによるタッチ操作により操作入力を受け付けるデバイスである。タッチデバイスは表示装置６に一体的に取り付けられることでタッチパネルを構成することができる。
【００３３】
表示装置６は、各種画像や情報を表示する表示画面を備えるデバイスであり、例えば、液晶ディスプレイ、プラズマディスプレイ、有機ＥＬディスプレイなどの表示デバイスを適用することができる。表示装置６は本発明の表示部に相当する。
振動装置７は、通信の着信、各種の通知情報、警報等を発信するために端末装置１００を振動させるための装置である。また、スピーカ８は、各種の音声出力情報を音声出力させる。表示装置６、振動装置７、スピーカ８により、録画予約情報記憶部３２に録画予約情報が保持されているときのユーザへの通知を行うことができる。録画予約情報が保持されているときには、これら表示装置６、振動装置７、スピーカ８のいずれかもしくは複数を用いてユーザへの通知を行うようにすることができる。
【００３４】
端末装置１００は、外部機器との間で所定の通信手段により通信を行うためのインタフェース（Ｉ／Ｆ）を備える。無線ＬＡＮ Ｉ／Ｆ９は、無線ＬＡＮに接続された外部機器との間で通信を行うためのインタフェースである。また、Bluetooth Ｉ／Ｆ１０は、デジタル機器用の近距離無線通信規格であるBluetooth（登録商標）により外部機器と通信を行うためのインタフェースである。また、ＮＦＣ Ｉ／Ｆ１１は、無線通信の国際規格であるＮＦＣ（Near Field Communication）により外部機器と通信を行うためのインタフェースである。また、公衆網Ｉ／Ｆ１２は、通信事業者が提供する交換接続型の電気通信回線網、あるいはパケット交換網に代表されるデータ通信網等、を含む公衆網に接続し、外部機器との間で通信を行うためのインタフェースである。これらインタフェース及び制御部１により、本発明の通信部が実現される。
【００３５】
図３は、本発明に係る端末装置により実現される機能を説明するための機能ブロック図である。図３において、図２の要素によって実現される機能には図２と同じ符号を付している。
番組表取得部２４は、ネットワーク制御部２５により番組情報サービスプロバイダ等の外部機器に接続して必要な番組表を取得し、取得した番組表を番組表記憶部３３に保存する。
【００３６】
録画予約情報生成部２３では、録画予約を行う番組の選択処理を行う。ここでは、録画予約情報生成部２３は、番組表記憶部３３に記憶されている番組表を読み出し、出力制御部２６により表示装置６を制御して番組表を表示させる。
そして入力装置４，５に対するユーザ操作によって入力制御部２７が番組の選択操作を受け付けると、録画予約情報生成部２３は、その選択操作に応じて番組表から番組を選択して録画予約を行うための録画予約情報を生成し、録画予約情報記憶部３２に記憶する。
【００３７】
録画機器接続判定部２１では、ネットワーク制御部２５から外部機器の機器情報を取得し、録画機器情報記憶部３１から取得した録画機器情報と一致する録画機器が接続されていれば、登録された録画機器と通信可能に接続されていることを示す情報を録画予約情報通知部２２に通知する。
【００３８】
録画予約情報通知部２２は、登録された録画機器に接続されていることを示す通知を録画機器接続判定部２１から受け取ると、出力制御部２６を制御して、録画予約情報があることを通知する情報を表示装置６に表示させる。あるいは、録画予約情報があることを振動によって通知したり、音声出力等によって通知させる。
このような各機能ブロックの動作が実行されることで、端末装置１００が録画予約を行うべき録画機器と通信可能に接続されたときに、録画予約を行うための録画予約情報が生成され保持されていることをユーザに確実に認識させることができるようになる。
【００３９】
図４は、本発明の端末装置による録画予約処理の一例を説明するためのフローチャートである。
端末装置でユーザが番組の録画予約を行う場合、まずユーザが端末装置を操作して、番組表を表示させる（ステップＳ１）。番組表は、端末装置が外部機器等から取得して保持しているものである。そして端末装置では、番組表に対する録画予約を行うための入力受付状態に遷移する（ステップＳ２）。
【００４０】
次いで端末装置は、入力があったか否かを判別し（ステップＳ３）、入力があった場合、さらにその入力により番組表から番組が選択されたか否かを判別する（ステップＳ４）。ここで番組が選択された場合には、選択された番組を録画予約するための録画予約情報を生成して記憶しておく（ステップＳ９）。そして、ステップＳ３に戻り、再度入力があったか否かを判別する。ユーザが複数の番組について録画予約を行う場合には、再度ステップＳ３からステップＳ４に進み、録画予約を行う次の番組を選択する入力を行うことができる。
【００４１】
ステップＳ４で番組選択ではなかった場合には、その入力がカーソルを移動させる入力であるか否かを判別する（ステップＳ５）。ここでカーソル移動であれば、その入力操作に従ってカーソル表示を変更し（ステップＳ１０）、ステップＳ３に戻る。また、入力がカーソル移動でなければ、さらに終了処理が選択されたか否かを判別する（ステップＳ６）。終了処理の選択でなければ、その入力に応じたその他の処理を実行し（ステップＳ１１）、ステップＳ３に戻る。
【００４２】
また、終了処理が選択されていれば、番組を録画予約するための録画予約情報が記憶されているか否かを判断する（ステップＳ７）。録画予約情報が記憶されていれば、録画予約情報の通知処理を起動する（ステップＳ８）。この起動処理はバックグランドで実行させることができる。また、録画予約情報が記憶されていなければ、そのまま処理を終了する。
【００４３】
図５は、本発明の端末装置による録画予約情報通知処理の一例を説明するためのフローチャートである。
図４のフローチャートに示す処理により、端末装置で録画予約情報が記録され、録画予約情報通知処理が起動されると（ステップＳ２１）、端末装置ではイベント受付状態に遷移する（ステップＳ２２）。そして所定の録画機器と接続されたか否かを判定する（ステップＳ２３）。ここでは端末装置からの近距離通信による探索により、所定の録画機器と通信可能に接続されたか否かを判定する。
【００４４】
端末装置は、所定の録画機器に接続されると、通知を行うための端末設定を取得する（ステップＳ２４）。通知を行うための端末設定は、録画予約情報が生成され保持されている旨をユーザに通知するために端末装置を動作させるときの設定値を指す。そして端末装置では、取得した端末設定に応じた出力処理を行う。この出力処理は、例えば表示装置の表示画面に録画予約情報がある旨を表示させたり、振動装置により端末装置を振動させたり、あるいは録画予約番組選択情報がある旨をスピーカから音声出力させることにより実行される。この後、引き続き図４の録画予約処理に移行してもよい。
【００４５】
図６は、本発明の端末装置による録画機器接続通知処理の一例を説明するためのフローチャートである。
端末装置では、録画予約情報を送信して録画予約を行うために、通信可能な所定の録画機器を探索して接続通知を発行する録画機器接続通知処理を行う。ここでは、端末装置は、録画機器の探索を開始するとイベント取得状態に遷移し（ステップＳ３１）、機器との接続信号を取得する（ステップＳ３２）。ここでは端末装置から通信相手を探索する電波を発信し、相手機器からその応答があったときの信号を接続信号として取得することができる。
【００４６】
そして接続信号に応じて、接続先の機器が予め登録されている録画機器であるか否かを判定する（ステップＳ３３）。ここでは例えば、端末装置がポーリングにより接続相手機器から機器情報を取得し、取得した接続先の機器情報と、予め登録された所定の録画機器の録画機器情報とを比較する。そしてこれらが一致すれば、接続先の機器が予め登録されている録画機器であると判定することができる。
ここで接続先の機器が予め登録された録画機器であれば、図５に示すような録画予約情報の通知処理を開始する。ここでは、端末装置の録画機器接続判定部が機器接続通知を生成して、録画予約情報通知部に通知する処理が行われる。また、ステップＳ３３で接続先の機器が予め登録された録画機器ではない場合、ステップＳ３２に戻って接続信号を取得する処理を続行する。
【００４７】
以上説明したように、本発明の端末装置は、所定の録画機器に録画予約を設定するための録画予約情報を生成する録画予約情報生成部と、録画予約情報を記憶する録画予約情報記憶部と、所定の録画機器と通信を行う通信部とを備え、録画予約情報記憶部に記憶された録画予約情報を通信部から所定の録画機器に送信して所定の録画機器に録画予約を行う端末装置であって、所定の録画機器と通信可能に接続されたことを判定する録画機器接続判定部と、録画機器接続判定部により所定の録画機器と通信可能に接続されたときに、録画予約情報記憶部に録画予約情報が記憶されている場合、録画予約情報が記憶されていることを示す所定の通知処理を行う録画予約情報通知部と、を備えるものである。これにより、録画予約情報を録画機器に送信することで録画機器に対して録画予約を設定できる端末装置において、端末装置で録画予約情報が生成されていることをユーザが確実に認識できるようにすることで、端末装置で生成された録画予約情報を確実に録画機器に送信することができ、これにより、録画予約情報を受信した録画機器で確実に録画予約を実行できるようになる。
【００４８】
さらに本発明の端末装置は、外部機器から放送番組の番組表情報を取得する番組表取得部と、番組表取得部が取得した番組表情報を記憶する番組表記憶部と、番組表記憶部に記憶した番組表情報を表示する表示部と、ユーザの操作入力を受け付ける入力部と、を備え、録画予約情報生成部は、表示部に表示させた番組表情報に対する操作入力に従って、特定の番組の録画予約を設定するための録画予約情報を生成するものである。これにより、ユーザは、端末装置に番組表を取得した状態で任意の場所とタイミングで録画機器に設定する録画予約情報を生成させることができる。
【００４９】
さらに本発明の端末装置は、予約録画を設定する対象となる前記所定の録画機器を識別する情報を記憶する録画機器情報記憶部を有し、録画機器接続判定部は、通信可能に接続された所定の録画機器を判定する際に、通信が可能な相手先機器からその相手先機器を識別する情報を取得し、取得した相手先機器を識別する情報と、録画機器情報記憶部に記憶した情報とが一致した場合、相手先機器が所定の録画機器であることを判定するものである。これにより、録画予約情報を生成した端末装置が、録画予約情報を設定すべき所定の録画機器と通信可能となった状態を適切に判断することができる。
【００５０】
さらに本発明の端末装置は、上記所定の通知処理が、録画予約情報が記憶されていることを示す所定の通知情報を所定の表示部に表示させる処理、端末装置を振動させる処理、および録画予約情報が記憶されていることを示す音声情報を所定のスピーカから音声出力させる処理のいずれかまたは複数であるものである。これにより、録画予約情報が記憶されているときの通知手段をより具体的に規定することができる。
【符号の説明】
【００５１】
１…制御部、２…記憶部（ＲＯＭ）、３…記憶部（ＲＡＭ）、４，５…入力装置、６…表示装置、７…振動装置、８…スピーカ、９…無線ＬＡＮ Ｉ／Ｆ、１１…Bluetooth Ｉ／Ｆ、１２…ＮＦＣ Ｉ／Ｆ、２１…録画機器接続判定部、２２…録画予約情報通知部、２３…録画予約情報生成部、２４…番組表取得部、２５…ネットワーク制御部、２６…出力制御部、２７…入力制御部、３１…録画機器情報記憶部、３２…録画予約情報記憶部、３３…番組表記憶部、１００…端末装置、１０１…ペン、１１０…タッチパネル、２００…録画機器。
【図１】
2014160997.tif 000003
【図２】
2014160997.tif 000004
【図３】
2014160997.tif 000005
【図４】
2014160997.tif 000006
【図５】
2014160997.tif 000007
【図６】
2014160997.tif 000008